(57)【要約】  この照明装置は、各々が光入射部と光出射面とを有すると共に、厚み方向に沿って積層された複数の導光板を含む導光部と、導光部の各導光板の光入射部へ向けて光を出射する複数の光源と、複数の光源を支持すると共に、各光源を駆動するための回路部が配置された基板とを備える。基板のうちの回路部が配置された第１部分が、導光部の背面に対向して配置されている。
2016163176.tif 000002
【特許請求の範囲】
【請求項１】
各々が光入射部と光出射面とを有すると共に、厚み方向に沿って積層された複数の導光板を含む導光部と、
前記導光部の各導光板の前記光入射部へ向けて光を出射する複数の光源と、
前記複数の光源を支持すると共に、各光源を駆動するための回路部が配置された基板と
を備え、
前記基板のうちの前記回路部が配置された第１部分が、前記導光部の背面に対向して配置されている
照明装置。
【請求項２】
前記基板は、前記第１部分と、前記光入射部に対向して配置された第２部分とを含むと共に、前記第１部分と前記第２部分との間において折り曲げられた屈曲形状を有し、
前記基板の前記第２部分に、複数の光源が配置されている
請求項１に記載の照明装置。
【請求項３】
前記複数の導光板の同士の間において、前記導光板の前記光入射部側の一部を覆うと共に、遮光機能および反射機能のうちの少なくとも一方を有する構造体が設けられている
請求項１に記載の照明装置。
【請求項４】
前記構造体は、前記導光板と前記光源との間隙を確保すると共に、前記導光板の前記光源側へのシフトを係止する部分を有する
請求項３に記載の照明装置。
【請求項５】
前記構造体は、灰色の樹脂材料から構成されている
請求項３に記載の照明装置。
【請求項６】
前記基板は、前記第１部分と、前記光入射部に対向して配置された第２部分と、前記導光部の前面に対向して配置された第３部分とを含むと共に、前記第１部分と前記第２部分との間および前記第２部分と前記第３部分との間のそれぞれにおいて折り曲げられた屈曲形状を有し、
前記基板の前記第２部分に前記複数の光源が配置されている
請求項１に記載の照明装置。
【請求項７】
前記導光部の背面側に、前記基板と熱的に接続して配置された放熱部材を備えた
請求項１に記載の照明装置。
【請求項８】
前記放熱部材と前記基板との各一面側に、前記放熱部材と前記基板とに跨って配置されると共に、熱拡散性層と断熱性層とを含む複層シートが配置されている
請求項７に記載の照明装置。
【請求項９】
前記放熱部材は、前記基板の前記光源が実装されている面に熱的に接続されている
請求項７に記載の照明装置。
【請求項１０】
前記基板の端部は、Ｚ状に折り曲げられており、
前記放熱部材は、前記基板のＺ状の折り曲げによって生じた空間に配置されると共に、前記基板に熱的に接続されている
請求項７に記載の照明装置。
【請求項１１】
前記光源は、上面発光型の発光ダイオードである
請求項１に記載の照明装置。
【請求項１２】
前記基板は、平板形状を有し、
前記基板の前記第１部分の延長面上に、前記複数の光源が配置されている
請求項１に記載の照明装置。
【請求項１３】
前記複数の光源は、端面発光型の発光ダイオードから構成され、
前記発光ダイオードは、各々が異なる高さ位置に形成された複数の発光領域を有する
請求項１２に記載の照明装置。
【請求項１４】
前記複数の光源はそれぞれ、端面発光型の発光ダイオードであり、前記導光板毎に発光領域の高さが異なっている
請求項１２に記載の照明装置。
【請求項１５】
前記光源は、上面発光型の発光ダイオードであり、
前記導光板の前記光入射部は、斜面または曲面を有する
請求項１２に記載の照明装置。
【請求項１６】
前記複数の導光板の同士の間において、前記導光板の前記光入射部側の一部に、遮光機能と反射機能との両方をもつ機能性シートが配置されている
請求項１に記載の照明装置。
【請求項１７】
前記機能性シートは、鏡面調シート、金属薄膜、または、一対の反射層間に遮光層を挟んでなる積層膜である
請求項１６に記載の照明装置。
【請求項１８】
前記複数の導光板はそれぞれ、前記光出射面に平行な面内における複数の選択的な領域に他の領域よりも高い密度で配置された光取り出し用のパターンを有する
請求項１に記載の照明装置。
【請求項１９】
各々が光入射部と光出射面とを有すると共に、厚み方向に沿って積層された複数の導光板を含む導光部と、
前記導光部の各導光板の前記光入射部へ向けて光を出射する複数の光源と、
前記複数の光源を支持すると共に、各光源を駆動するための回路部が配置された基板と
を備え、
前記基板のうちの前記回路部が配置された第１部分が、前記導光部の背面に対向して配置されている
照明装置を備えた表示装置。
【発明の詳細な説明】
【技術分野】
【０００１】
本開示は、導光板を用いた照明装置およびそのような照明装置を備えた表示装置に関する。
【背景技術】
【０００２】
表示装置に用いられるバックライトにおいて、画質向上を目的として、いわゆる画面部分駆動（ローカルディミング）が行われている。【０００３】
ところが、このローカルディミングを行う場合、直下型方式のバックライトでは、効果的な部分駆動（発光領域の細分化）が可能だが、厚みが大きくなるという課題がある。そこで、エッジライト方式のバックライトを用いて、ローカルディミングが提案されている（例えば特許文献１，２）。エッジライト方式を採用することにより、バックライトの薄型化が可能となる。また、複数の導光板を用いることで、効果的な部分駆動を実現している。
【先行技術文献】
【特許文献】
【０００４】
【特許文献１】特開２００４−３０３５６４号公報
【特許文献２】米国特許ＵＳ８４１９２５７Ｂ２号明細書
【発明の概要】
【０００５】
しかしながら、例えば、上記のようなエッジライト方式のバックライトを、ユニットとして表示装置などに実際に組み込む際には、様々な制約がある。薄型化が可能な具体的な手法の実現が望まれている。
【０００６】
したがって、薄型化を実現することが可能な照明装置および表示装置を提供することが望ましい。
【０００７】
本開示の一実施の形態の照明装置は、各々が光入射部と光出射面とを有すると共に、厚み方向に沿って積層された複数の導光板を含む導光部と、導光部の各導光板の光入射部へ向けて光を出射する複数の光源と、複数の光源を支持すると共に、各光源を駆動するための回路部が配置された基板とを備えたものである。基板のうちの回路部が配置された第１部分が、導光部の背面に対向して配置されている。
【０００８】
本開示の一実施の形態の表示装置は、上記本開示の一実施の形態の照明装置を備えたものである。
【０００９】
本開示の一実施の形態の照明装置および表示装置では、複数の光源を支持する基板に、各光源を駆動するための回路部が配置され、この基板の回路部が配置された第１部分が、導光部の背面に対向して配置されている。これにより、導光板を用いた照明装置において、基板を導光部の背面側のスペースを利用して配置することができる。
【００１０】
本開示の一実施の形態の照明装置および表示装置では、複数の光源を支持する基板に、各光源を駆動するための回路部が配置され、この基板の回路部が配置された第１部分が、導光部の背面に対向して配置されている。これにより、導光板を用いた照明装置において、基板を導光部の背面側のスペースを利用して配置することができる。背面側に配置しない場合に比べ、基板を導光板の面内方向に延在させることができ、スペースを有効利用できる。よって、薄型化を実現可能となる。
【００１１】
尚、上記内容は本開示の一例である。本開示の効果は、上述したものに限らず、他の異なる効果であってもよいし、更に他の効果を含んでいてもよい。
【図面の簡単な説明】
【００１２】
【図１】本開示の一実施の形態に係る表示装置の構成を表す断面図である。
【図２】図１に示した導光板の構成を表す断面模式図である。
【図３Ａ】図２に示した上側の導光板の反射パターンについて説明するための模式図である。
【図３Ｂ】図２に示した下側の導光板の反射パターンについて説明するための模式図である。
【図４Ａ】図１に示した構造体の光源を含む断面の構成を表す模式図である。
【図４Ｂ】図１に示した構造体の光源を含まない断面の構成を表す模式図である。
【図５Ａ】比較例１に係るバックライトユニットの効果を説明するための断面模式図である。
【図５Ｂ】比較例２に係るバックライトユニットの効果を説明するための断面模式図である。
【図６】比較例３に係るバックライトユニットの効果を説明するための断面模式図である。
【図７】図６に示したバックライトユニットを用いた部分駆動について説明するための模式図である。
【図８Ａ】図３Ａに示した導光板の光源点灯の一例を表す模式図である。
【図８Ｂ】図３Ｂに示した導光板の光源点灯の一例を表す模式図である。
【図９】図３Ａおよび図３Ｂに示した２枚の導光板を用いた部分駆動について説明するための模式図である。
【図１０】比較例４に係るバックライトユニットの効果を説明するための模式図である。
【図１１】図１に示したバックライトユニットの効果を説明するための模式図である。
【図１２】比較例５に係るバックライトユニットの効果を説明するための模式図である。
【図１３】図１に示したバックライトユニットの効果を説明するための模式図である。
【図１４】変形例１に係る導光板の光取り出し用パターンを説明するための特性図である。
【図１５Ａ】変形例１に係る導光板の光取り出し用パターンを説明するための模式図である。
【図１５Ｂ】変形例１に係る導光板の光取り出し用パターンを説明するための模式図である。
【図１６】変形例１に係る導光板の光取り出し用パターンを説明するための特性図である。
【図１７Ａ】変形例１に係る導光板の光取り出し用パターンを説明するための模式図である。
【図１７Ｂ】変形例１に係る導光板の光取り出し用パターンを説明するための模式図である。
【図１８】変形例２に係るバックライトユニットの要部構成を表す断面模式図である。
【図１９】変形例３に係るバックライトユニットの要部構成を表す断面模式図である。
【図２０】図１９に示した光源の各発光領域について説明するための模式図である。
【図２１Ａ】変形例４に係るバックライトユニットの要部構成を表す断面模式図である。
【図２１Ｂ】変形例４に係るバックライトユニットの要部構成を表す断面模式図である。
【図２２】図２１Ａおよび図２１Ｂのそれぞれに示した光源を正面からみた模式図である。
【図２３】変形例５に係るバックライトユニットの要部構成を表す断面模式図である。
【図２４】変形例６に係るバックライトユニットの要部構成を表す断面模式図である。
【図２５】変形例７に係るバックライトユニットの要部構成を表す断面模式図である。
【図２６】変形例８に係るバックライトユニットの要部構成を表す断面模式図である。
【図２７】変形例９に係るバックライトユニットの要部構成を表す断面模式図である。
【図２８】変形例１０に係るバックライトユニットの要部構成を表す断面模式図である。
【図２９】変形例１１に係るバックライトユニットの要部構成を表す断面模式図である。
【図３０】変形例１２に係るバックライトユニットの要部構成を表す断面模式図である。
【図３１Ａ】変形例１３に係る導光板（上側）の反射パターンについて説明するための模式図である。
【図３１Ｂ】変形例１３に係る導光板（下側）の反射パターンについて説明するための模式図である。
【図３２Ａ】図３１Ａに示した導光板の光源点灯の一例を表す模式図である。
【図３２Ｂ】図３１Ｂに示した導光板の光源点灯の一例を表す模式図である。
【図３３】他の変形例に係る照明装置の外観を表す斜視図である。
【図３４】他の変形例に係る照明装置の外観を表す斜視図である。
【図３５】他の変形例に係る照明装置の外観を表す斜視図である。
【発明を実施するための形態】
【００１３】
以下、本開示の実施の形態について図面を参照して詳細に説明する。なお、説明は以下の順序で行う。
１．実施の形態（光源基板を屈曲させて配置したバックライトユニットを備えた表示装置の例）
２．変形例１（導光板の反射パターンの他の例）
３．変形例２（基板の屈曲形状の他の例）
４．変形例３〜５（端面発光型の光源を用いた場合の例）
５．変形例６（導光板の光入射部に形状を付与した例）
６．変形例７（上面発光型と端面発光型の光源とを組み合わせて用いた場合の例）
７．変形例８，９（導光板間に機能性シートを配置した場合の例）
８．変形例１０，１１（光源基板の一部が遮光部材を兼ねる場合の例）
９．変形例１２（基板の端部がＺ状に曲げられた場合の例）
１０．変形例１３（光源配置の他の例）
【００１４】
＜実施の形態＞
［構成］
図１は、本開示の一実施の形態に係る表示装置（表示装置１）の断面構成を表したものである。この表示装置１は、例えば液晶ディスプレイであり、バックライトユニット１０と、液晶パネルユニット２０と、前面側筐体３０と、背面側筐体３１とを備えている。尚、図１に示した構成は、表示装置１の一部（端部）に相当するものである。尚、本実施の形態のバックライトユニット１０が、本開示における「照明装置」の一具体例に相当する。
【００１５】
バックライトユニット１０は、液晶パネルユニット２０を照明する平板状の面発光源である。このバックライトユニット１０の面形状（ＸＹ平面形状）は、例えば矩形状である。バックライトユニット１０では、後述する導光部において、ＸＹ平面内をいくつかの領域に分割して、分割した領域毎に発光強度を変化させる駆動（部分駆動またはローカルディミング）が可能である。このバックライトユニット１０の具体的な構成については後述する。
【００１６】
液晶パネルユニット２０は、動画像または静止画像等の画像を表示するためのものであり、例えば、ＴＦＴなどの画素回路が形成された基板（ＴＦＴ基板）と、カラーフィルタが形成された基板（ＣＦ基板）との間に液晶層が封止されたものである。この液晶パネルユニット２０の光入射側および光出射側の各面には、図示しない偏光板および各種光学シートがそれぞれ貼り合わせられている。また、液晶パネルユニット２０の表面には、保護用のカバーフィルムが貼付されている。この液晶パネルユニット２０の平面形状（ＸＹ平面形状）は、例えば矩形状である。
【００１７】
ＴＦＴ基板は、例えば、ガラス基板上に、画素電極と、各画素を駆動するためのＴＦＴ（Thin Film Transistor）素子と、ＴＦＴ素子に接続されるゲート線およびソース線等の配線とが設けられたものである。ＣＦ基板は、例えば、ガラス基板上に、例えば赤（Ｒ），緑（Ｇ），青（Ｂ）などのカラーフィルタと、対向電極とが設けられたものである。液晶層は、例えばＶＡモード、ＩＰＳモードまたはＴＮモード等により駆動される液晶により構成されている。
【００１８】
前面側筐体３０および背面側筐体３１は、液晶パネルユニット２０とバックライトユニット１０とを支持し、収容する部材である。前面側筐体３０には、液晶パネルユニット２０の有効表示領域に対応して開口が設けられている。これらの前面側筐体３０および背面側筐体３１の構成材料は、例えアルミニウム（Ａｌ）および鉄（Ｆｅ）などの金属であってもよいし、例えばポリカーボネート（ＰＣ）などの樹脂であってもよい。
【００１９】
（バックライトユニット１０の構成）
バックライトユニット１０は、例えば、複数（ここでは２つ）の導光板１１Ａ，１１Ｂを含む導光部１１と、導光板１１Ａ，１１Ｂ毎に設けられた光源（１３Ａ１，１３Ｂ１）と、光源基板１２と、光学シート１４と、反射シート１５と、放熱部材１６と、熱拡散／断熱シート１７と、遮光部材１８とを備えている。
【００２０】
導光部１１は、２つの導光板１１Ａ，１１Ｂが厚み方向に沿って積層して配置されたものである。図２は、導光板１１Ａ，１１Ｂのそれぞれの光取り出し用のパターン（ドットパターン）のＸＺ断面構成を模式的に表したものである。図３Ａおよび図３Ｂは、導光板１１Ａ，１１Ｂの各パターンのＸＹ平面構成について模式的に表したものである。導光板１１Ａ，１１Ｂは、光入射部（Ｓ１１，Ｓ２１）と光出射面（Ｓ１２，Ｓ２２）とを有している。光出射面Ｓ１２が、導光部１１全体の光出射面となっている。導光板１１Ｂの光出射面Ｓ２２に対向して導光板１１Ａが配置され、導光板１１Ａの光出射面Ｓ１２上には、光学シート１４が貼り合わせられている。このように、導光板１１Ａ，１１Ｂは、上下に重なって配置されている。導光板１１Ａ，１１Ｂ間で互いに異なる選択的な領域に光取り出し用のパターンが形成されている。ここでは、そのようなパターンが形成された領域において反射された光が、光出射面Ｓ１２，Ｓ２２から出射される(取り出される)。導光板１１Ａ，１１ＢのＸＹ平面形状は、バックライトユニット１０と同様、例えば矩形状を有している。本実施の形態では、これらの導光板１１Ａ，１１Ｂの矩形状の２つの短辺に相当する端面が光入射部Ｓ１１，Ｓ２１となっている。
【００２１】
一例としては、導光板１１Ａの反射面Ｓ１３では、ＸＹ平面内において４つの領域Ｄａ１〜Ｄａ４に分割されており、これらのうちの２つの領域Ｄａ１，Ｄａ３には、他の領域Ｄａ２，Ｄａ４に比べ、より多くの光を取り出し可能なパターンが形成されている。例えば、領域Ｄａ１，Ｄａ３では、領域Ｄａ２，Ｄａ４よりも、パターンの密度（ドットの密度）が高くなっている。一方、導光板１１Ｂの反射面Ｓ２３では、ＸＹ平面内において４つの領域Ｄｂ１〜Ｄｂ４に分割されており、これらのうちの２つの領域Ｄｂ２，Ｄｂ４には、他の領域Ｄｂ１，Ｄｂ３に比べ、より多くの光を取り出し可能なパターンが形成されている。例えば、領域Ｄｂ２，Ｄｂ４では、領域Ｄｂ１，Ｄｂ３よりも、パターンの密度（ドットの密度）が高くなっている。このように、導光板１１Ａ，１１Ｂのそれぞれがいくつかの領域に分割され、分割された領域のうち上下の導光板間で異なる選択的な領域に、パターンが密に形成されている。
【００２２】
導光板１１Ａ，１１Ｂの領域Ｄａ１，Ｄａ３，Ｄｂ２，Ｄｂ４では、例えば凹部または凸部からなるドットが、光源から離れるに従って徐々に密度が高くなるように配置されていることが望ましい。
【００２３】
これらの導光板１１Ａ，１１Ｂの端面（光入射部Ｓ１１，Ｓ２１）には、複数の光源が対向配置されている。ここでは、導光板１１Ａ，１１ＢのＹ方向に沿って延在する端面が光入射部Ｓ１１，Ｓ２１となっている。また、説明上、各端面に４つの光源が対向配置されている場合を例示し、導光板１１ＡのＸ方向負側（図の左側）の端面に配置された光源を光源１３Ａ１（１３Ａ１１〜１３Ａ１４）、Ｘ方向正側（図の右側）の端面に配置された光源を光源１３Ａ２（１３Ａ２１〜１３Ａ２４）としている。また、導光板１１ＢのＸ方向負側の端面に配置された光源を光源１３Ｂ１（１３Ｂ１１〜１３Ｂ１４）、Ｘ方向正側の端面に配置された光源を光源１３Ｂ２（１３Ｂ２１〜１３Ｂ２４）としている。
【００２４】
導光板１１Ａでは、例えば領域Ｄａ１の明暗（白〜黒表示）は、光源１３Ａ１１〜１３Ａ１４を駆動することによって設定され、領域Ｄａ３の明暗（白〜黒表示）は、光源１３Ａ２１〜１３Ａ２４を駆動することによって設定される。また、光源１３Ａ１１〜１３Ａ１４，１３Ａ２１〜１３Ａ２４のそれぞれが別個に駆動されることで、領域Ｄａ１，Ｄａ３において発光エリアが更に４分割される。導光板１１Ｂでは、例えば領域Ｄｂ２の明暗（白〜黒表示）は、光源１３Ｂ１１〜１３Ｂ１４を駆動することによって設定され、領域Ｄｂ４の明暗（白〜黒表示）は、光源１３Ｂ２１〜１３Ｂ２４を駆動することによって設定される。また、光源１３Ｂ１１〜１３Ｂ１４，１３Ｂ２１〜１３Ｂ２４のそれぞれが別個に駆動されることで、領域Ｄｂ２，Ｄｂ４内において発光エリアが更に４分割される。
【００２５】
尚、ここでは、２枚の導光板の各光入射部に４つの光源を配置した構成を例示しているが、導光板の枚数を３枚以上に増やすことにより、あるいは光源の個数を更に増やすことにより、発光領域をＹ方向においてより細かく分割する（細分化する）ことができる。また、図３Ａにおいて、パターンの形成領域を変更し、例えば領域Ｄａ１，Ｄａ４に選択的にパターンを形成する（領域Ｄａ２，Ｄａ３にはパターンを形成しない）ことで、光源１３Ａ１１〜１３Ａ１４のそれぞれが照射する領域を変更することも可能である。
【００２６】
導光板１１Ａ，１１Ｂの構成材料としては、透明性の高い材料、例えばガラスが挙げられるが、光源１３Ａ１，１３Ａ２，１３Ｂ１，１３Ｂ２からの光を伝播可能な材料であれば他の材料により構成されていてもよい。例えば、光散乱性の微粒子を分散させた光散乱材料や、光拡散材料により形成されたものでもよい。具体的には、アクリル樹脂，ポリメチルメタクリレート（ＰＭＭＡ），ポリカーボネート（ＰＣ）および環状ポリオレフィン（ＣＯＰ）等が挙げられる。
【００２７】
光源１３Ａ１，１３Ａ２，１３Ｂ１，１３Ｂ２はそれぞれ、例えばＬＥＤ（Light Emitting Diode；発光ダイオード）チップを含んで構成されている。具体的には、赤色，青色または緑色等の色光を発するＬＥＤチップ、あるいはそのようなＬＥＤチップに蛍光体などを組み合わせて混色により例えば白色光を発するように構成されたものである。本実施の形態では、これらの光源１３Ａ１，１３Ａ２，１３Ｂ１，１３Ｂ２はいずれも、上面発光型（トップビュータイプ）のＬＥＤとなっている。
【００２８】
これらの光源１３Ａ１，１３Ａ２，１３Ｂ１，１３Ｂ２は、基板（光源基板１２）によって支持されている（光源基板１２上に形成されている）。この光源基板１２には、各光源１３Ａ１，１３Ａ２，１３Ｂ１，１３Ｂ２を駆動するための回路部（例えば、回路、外部基板への接続用のコネクタおよび配線など）が配置されている。ここでは、光源１３Ａ１，１３Ｂ１（１３Ａ１１〜１３Ａ１４，１３Ｂ１１〜１３Ｂ１４）が互いに同一の基板に配置され、光源１３Ａ２，１３Ｂ２（１３Ａ２１〜１３Ａ２４，１３Ｂ２１〜１３Ｂ２４）が互いに同一の基板に配置されている。尚、以下では、光源１３Ａ１，１３Ｂ１を支持する光源基板１２を例に挙げて説明するが、光源１３Ａ２，１３Ｂ２を支持する光源基板も同様の構成を有している。
【００２９】
この光源基板１２は、上記のように光源１３Ａ１，１３Ｂ１（１３Ａ１１〜１３Ａ１４，１３Ｂ１１〜１３Ｂ１４）を支持すると共に、回路およびコネクタなどを含む回路部（図１には図示せず）が配置されている部分（部分１２１）が、導光部１１の背面に対向して配置されている。詳細には、光源基板１２の部分１２１は、導光板１１Ａ，１１Ｂの背面に近接して延在するように配置されている。本実施の形態では、光源基板１２が、例えばＬ字状に曲げられた屈曲形状を有している。具体的には、光源基板１２は、光源１３Ａ１，１３Ｂ１を支持する部分（部分１２２）と、回路部が配置された部分１２１との間で略直角に折り曲げられている。
【００３０】
尚、光源基板１２の屈曲形状は、図示したようなＬ字状に限定されるものではない。部分１２１が、Ｚ方向に沿って延在するのではなく、導光部１１の背面側のスペースに回り込んで配置されていればよい。例えば、屈曲形状が９０度よりも大きな角度あるいは９０度よりも小さな角度で折り曲げられていてもよいし、角の部分が丸みを帯びていても構わない。
【００３１】
光学シート１４は、導光板１１Ａの光出射面に対向して設けられ、導光部１１から出射した光に対して種々の光学機能を発揮する１または複数のシートから構成されている。光学シート１４としては、例えば拡散シート、プリズムシートおよび偏光反射シートなどが挙げられる。
【００３２】
反射シート１５は、例えば白色光を反射する機能を有し、例えば高反射率の白色ＰＥＴ、樹脂多層膜あるいは金属膜などを含んで構成されている。
【００３３】
放熱部材１６は、表示装置１内を冷却し温度上昇を抑えるために、放熱を行うための部材である。この放熱部材１６は、導光部１１の背面側において、光源基板１２に熱的に接続して配置されると共に、例えばアルミニウム（Ａｌ）などの板材から構成されている。放熱部材１６と光源基板１２とは、接着部材１６ａによって熱的に接続されている。放熱部材１６は、光源基板１２の光源実装面側に接着されることが望ましい。光源実装面側には回路部が形成されるが、この回路部によって生じる空間を有効利用して放熱部材を接続でき、薄型化において有利であるためである。
【００３４】
熱拡散／断熱シート１７（複合シート）は、熱拡散機能と断熱機能とを持ち、高熱伝導率を有する熱拡散層と、断熱層との積層構造を有している。この熱拡散／断熱シート１７は、図１に示したように、光源基板１２と放熱部材１６との各一面側に、光源基板１２と放熱部材１６とに跨って配置されていることが望ましい。また、光源基板１２の屈曲形状に倣って、部分１２１，１２２の両方に隣接して配置されることが望ましい。光源１３Ａ１，１３Ｂ１において生じた熱を効率よく放熱部材１６に逃がすことができるためである。
【００３５】
この熱拡散／断熱シート１７では、断熱層が背面側筐体３１に隣接して配置され、熱拡散層が光源基板１２および放熱部材１６に隣接して配置されるとよい。デザイン性の向上（薄型化）が進むと、背面側筐体３１が、外装として用いられる場合がある。このような場合、光源１３Ａ１，１３Ｂ１が外装に近づき、外に熱が伝わり易くなることから、断熱性が高いことが求められる。一方で、光源基板１２から放熱部材１６へは、熱が伝わり易いことが望ましい。これらのことから、上記のように、背面側筐体３１に隣接して断熱層が、光源基板１２および放熱部材１６に隣接して熱拡散層が、それぞれ配置されることが望ましい。
【００３６】
熱拡散層の構成材料としては、例えばグラファイト、銅およびアルミニウムなどが挙げられる。断熱層の構成材料としては、例えばプラスチック、発泡性クッションなどが挙げられる。これらの材料を貼り合わせたものを、熱拡散／断熱シート１７として用いることができる。
【００３７】
遮光部材１８は、光源１３Ａ１，１３Ｂ１と、導光板１１Ａ，１１Ｂの光入射部とを覆うように（光入射部の周囲に）設けられた構造体である。この遮光部材１８は、例えば、導光板１１Ａ，１１Ｂを固定するための部材を兼ねている。図４Ａおよび図４Ｂに、遮光部材１８の断面構成について示す。図４Ａに示したように、遮光部材１８は、光源１３Ａ１，１３Ｂ１を含む断面では、導光板１１Ａ，１１Ｂの光入射部Ｓ１１，Ｓ２１を挟むように庇部分１８ａが配置されている。この遮光部材１８は、図４Ｂに示したように、光源１３Ａ１，１３Ｂ１を含まない断面では、庇部分１８ａが一体的に繋がっている。このような構成において、導光板１１Ａ，１１Ｂと光源１３Ａ１，１３Ｂ１との間隙を確保すると共に、導光板１１Ａ，１１Ｂのシフトを位置ａ２において係止する部分１８ｂを有している。これにより、導光板１１Ａ，１１Ｂの膨張や位置ずれ等に起因して、導光板１１Ａ，１１Ｂの端面が光源１３Ａ１，１３Ｂ１の上端位置ａ１まで達することを抑制でき、光源１３Ａ１，１３Ｂ１の損傷を防ぐことができる。
【００３８】
この遮光部材１８は、遮光機能と反射機能とを有していることが望ましい。この場合、遮光部材１８は、例えば灰色（グレー）の樹脂から構成されている。但し、遮光部材１８は、遮光機能のみあるいは反射機能のみを有するものであっても構わない。導光板１１Ａ，１１Ｂのそれぞれから漏れ出た光を遮蔽すると共に、再び導光板１１Ａ，１１Ｂ内へ戻し、光利用効率を向上させることができるためである。
【００３９】
［作用および効果］
本実施の形態の表示装置１では、バックライトユニット１０において、光源１３Ａ１，１３Ｂ１等から発せられた光が導光板１１Ａ，１１Ｂ内を伝搬した後、光出射面から出射され、光学シート１４を透過する。この光学シート１４を透過した光が、液晶パネルユニット２０を照明する。液晶パネルユニット２０では、映像信号に基づいて、バックライトユニット１０から照射された光が変調され、映像が表示される。
【００４０】
このような映像表示の際に、本実施の形態のバックライトユニット１０では、部分駆動（ローカルディミング）による発光駆動がなされる。これにより、コントラストが高まり、表示画質が向上する。
【００４１】
ここで、図５Ａおよび図５Ｂに本実施の形態の比較例１，２に係るバックライトユニットの要部構成を示す。図５Ａに示した比較例１のように、ＬＥＤからなる光源１０３を２次元配置して面状光源とした場合、発光エリアの細分化が容易であり、効率的な部分駆動が可能である。光源１０３の上方には、光学シート１０１が、下面には、反射シート１０２が、それぞれ配置されている。ところが、この比較例１では、画面内輝度を均一化するために、光源１０３から光出射面までの距離を一定値以上確保することが望ましい。このため、薄型化が困難である。一方、図５Ｂに示した比較例２のように、光源１０３同士の配置間隔ｄ１０１を、比較例１の配置間隔ｄ１００よりも狭くすることにより、薄型化を図ることができる。しかしながら、光源数が増え、コストが増大してしまう。
【００４２】
また、図６には、比較例３に係るバックライトユニットの要部構成を示す。このように、導光板１０５を用いることで、低コスト化と薄型化とを両立することができる。導光板１０５の端面には、光源１０６Ａ１，１０６Ａ２が配置され、導光板１０５の上方には、光学シート１０４ａが配置されている。導光板１０５の下面には、反射シート１０４ｂが配置されている。しかしながら、この比較例３のバックライトユニットでは、図７に模式的に示したように、導光板１０５の発光エリアの細分化が難しく、効率的な部分駆動を実現することが困難である。
【００４３】
そこで、本実施の形態のように、複数の導光板１１Ａ，１１Ｂを用いて、それらの導光板１１Ａ，１１Ｂにおける発光エリアを分けることによって、１枚の導光板１０５を用いた比較例３に比べ、より細かく、発光エリア（発光単位エリア）を分けることができる。これにより、画像に応じてコントラストをより強調することが可能になり、画質を向上させることができる。
【００４４】
例えば、図２，図３Ａおよび図３Ｂに示した導光板１１Ａ，１１Ｂの構成例では、以下のような部分駆動を行うことができる。即ち、導光板１１Ａでは、図８Ａに示したように、光源１３Ａ１１〜１３Ａ１４の点灯により、領域Ｄａ１を照らす（領域Ｄａ１を発光させる）ことができる（発光エリアａ１１〜ａ１４）。光源１３Ａ２１〜１３Ａ２４の点灯により、領域Ｄａ３を照らす（領域Ｄａ３を発光させる）ことができる（発光エリアａ２１〜ａ２４）。一方で、導光板１１Ｂでは、図８Ｂに示したように、光源１３Ｂ１１〜１３Ｂ１４の点灯により、領域Ｄｂ２を照らす（領域Ｄｂ２を発光させる）ことができる（発光エリアｂ１１〜ｂ１４）。光源１３Ｂ２１〜１３Ｂ２４の点灯により、領域Ｄｂ４を照らす（領域Ｄｂ４を発光させる）ことができる（発光エリアｂ２１〜ｂ２４）。
【００４５】
これらの導光板１１Ａ，１１Ｂの各発光エリアａ１１〜ａ１４，ａ２１〜ａ２４，ｂ１１〜ｂ１４，ｂ２１〜ｂ２４の各発光強度を個々に設定することにより、図９に示したように、導光部１１全体として、発光エリアを比較例３よりも細分化（ここでは１６分割）して部分駆動を行うことができる。
【００４６】
上記のように、複数の導光板１１Ａ，１１Ｂを用いて部分駆動を行う場合には、光源１３Ａ１，１３Ｂ１毎に発光駆動を行うこととなる。このため、光源基板１２には、光源１３Ａ１，１３Ｂ１を駆動するための回路部を配置するために大きなスペースを要する。
【００４７】
ここで、図１０に示した比較例４のように、光源１３Ａ１，１３Ｂ１を支持すると共に、回路部１０８ａが実装された光源基板１０８を、平板状のまま配置すると、光源基板１０８が背面側（後方）に大きく張り出し、厚み（Ｔ１００）が増大してしまう。
【００４８】
これに対し、本実施の形態では、図１１に示したように、光源基板１２の部分１２１が、導光部１１の背面に対向して配置されている。具体的には、光源基板１２が所定の屈曲形状を有することにより、光源基板１２をＸＹ平面方向に延在させることができ、導光部１１の背面側のスペースを有効利用できる。厚み（Ｔ１）を比較例４に比べ、削減することができる。よって、薄型化を実現可能となる。
【００４９】
また、光源基板１２と背面側筐体３１との間に、熱拡散／断熱シート１７が設けられていることで、次のような効果がある。即ち、図１２に示した比較例５のように、熱拡散／断熱シート１７が設けられていない場合には、光源１３Ａ１，１３Ｂ１の近傍で発生した熱（Ｘ１）の冷却が不十分となる。また、背面側筐体３１から外部へ熱が伝わり、外装温度が規格を超えてしまう虞もある（Ｘ２）。これに対して、本実施の形態では、図１３に示したように、光源基板１２と背面側筐体３１との間に、熱拡散／断熱シート１７を設けることにより、光源１３Ａ１，１３Ｂ１から外装への熱伝導は遮断しつつ、放熱部材１６へ効率的に熱を伝えることができる（Ｓ１）。よって、信頼性向上を図ることができる。
【００５０】
以上のように本実施の形態では、複数の光源１３Ａ１，１３Ｂ１を支持する光源基板１２に、各光源１３Ａ１，１３Ｂ１を駆動するための回路部が配置され、この光源基板１２の回路部が配置された部分１２１が、導光部１１の背面に対向して配置されている。これにより、複数の導光板１１Ａ，１１Ｂを用いたバックライトユニット１０において、光源基板１２を導光部１１の背面側のスペースを有効に利用して配置することができる。よって、薄型化を実現可能となる。
【００５１】
以下、上記実施の形態の変形例について説明する。尚、上記実施の形態と同様の構成要素については同一の符号を付し、適宜その説明を省略する。
【００５２】
＜変形例１＞
図１４，図１５Ａおよび図１５Ｂは、変形例１に係る導光板の光取り出し用のパターンを説明するためのものである。図１６，図１７Ａおよび図１７Ｂは、変形例１に係る導光板の光取り出し用のパターンを説明するためのものである。上記実施の形態では、導光板１１Ａ，１１Ｂのそれぞれにおいて、領域毎のパターンの有無によって、発光エリアを細分化したが、本変形例では、パターンの密度の高低によって、発光エリアが細分化されている。尚、これらの図では、導光板１１Ａのパターン密度を一例として示している。
【００５３】
ここで、図１４に示した例のように、領域Ｄａ１，Ｄａ３にのみパターンを配置する場合（密度が急激に変化する場合）、図１５Ａに模式的に示したように、光源１３Ａ１を駆動して導光板１１Ａの領域Ｄａ１を照らすと、領域Ｄａ１と領域Ｄａ２の境界ｐ１が際立ち、不自然な表示となる。同様に、図１５Ｂに模式的に示したように、光源１３Ａ２を駆動して導光板１１Ａの領域Ｄａ３を照らすと、領域Ｄａ２と領域Ｄａ３の境界ｐ２が際立ち、不自然な表示となる。
【００５４】
そこで、本変形例では、図１６に示したように、導光板１１Ａの領域Ｄａ１，Ｄａ３だけでなく、領域Ｄａ２にもパターンが配置されている（密度がゆるやかに変化する）。これにより、図１７Ａに模式的に示したように、光源１３Ａ１を駆動して導光板１１Ａの領域Ｄａ１を照らすと、領域Ｄａ１と領域Ｄａ２の境界が適度にぼやけ、自然な表示となる。同様に、図１７Ｂに模式的に示したように、光源１３Ａ２を駆動して導光板１１Ａの領域Ｄａ３を照らすと、領域Ｄａ２と領域Ｄａ３の境界が適度にぼやけ、自然な表示となる。
【００５５】
本変形例のように、導光板１１Ａ，１１Ｂのパターン密度の高低によって発光エリアを細分化してもよい。また、各発光エリア同士の境界では、パターン密度がゆるやかに変化することが望ましい。より画質向上に有利となる。
【００５６】
＜変形例２＞
図１８は、変形例２に係るバックライトユニットの要部構成を表したものである。上記実施の形態では、光源基板がＬ字状に屈曲した形状である場合を説明したが、屈曲形状はこれに限定されず、様々な形状とすることができる。例えば、本変形例の光源基板１２Ａのように、２箇所において折り曲げられた形状であってもよい。
【００５７】
具体的には、光源基板１２Ａは、光源１３Ａ，１３Ｂ１の回路部が配置された部分１２１と、光源１３Ａ１，１３Ｂ１が実装された（配置された）部分１２２と、導光板１１Ａの光出射面Ｓ１２に対向して配置された部分１２３とを有している。部分１２１，１２２間で折り曲げられると共に、部分１２２，１２３間で折り曲げられた屈曲形状を有している。部分１２３は、導光部１１の光出射面に対向して配置されている。
【００５８】
＜変形例３＞
図１９は、変形例３に係るバックライトユニットの要部構成を表したものである。上記実施の形態では、上面発光型のＬＥＤからなる光源１３Ａ１，１３Ｂ１を例に挙げて説明したが、本変形例のように、端面発光型のＬＥＤを含む光源（光源１３０Ｃ）が用いられてもよい。
【００５９】
光源１３０Ｃは、例えば異なる高さ位置に複数（ここでは、２つ）の発光領域（活性層）１３０Ｃ１，１３０Ｃ２をもつ端面発光型（サイドビュータイプ）のＬＥＤである。このような光源１３０Ｃは、光源基板１２Ｂ上に配置されている。光源基板１２Ｂは、光源１３０Ｃを支持すると共に、回路部が配置された部分１２１を有している。本変形例においても、光源基板１２Ｂの部分１２１は、導光部１１の背面に対向して配置されている。但し、光源基板１２Ｂは、平板状を成し、部分１２１の延長面上に、光源１３０Ｃが配置されている。発光領域１３０Ｃ１，１３０Ｃ２は、図２０に示したように、それぞれ別々の配線１３０ａ，１３０ｂに接続されており、個別に発光駆動されるように構成されている。
【００６０】
このように、例えば端面発光型の光源１３０Ｃを用いた場合には、光源基板１２Ｂは、屈曲していなくともよい。光源基板１２Ｂを折り曲げなくとも、導光部１１の背面側のスペースを有効利用して、装置全体の薄型化を図ることができる。よって、上記実施の形態と同等の効果を得ることができる。
【００６１】
＜変形例４＞
図２１Ａ，図２１Ｂおよび図２２は、変形例４に係るバックライトユニットの要部構成を表したものである。上記実施の形態では、上面発光型のＬＥＤからなる光源１３Ａ１，１３Ｂ１を例に挙げて説明したが、本変形例のように、端面発光型のＬＥＤを含む光源（光源１３０Ｄ１，１３０Ｄ２）が用いられてもよい。
【００６２】
光源１３０Ｄ１，１３０Ｄ２はそれぞれ、例えば互いに異なる高さ位置に発光領域（活性層）をもつ端面発光型（サイドビュータイプ）のＬＥＤである。このような光源１３０Ｄ１，１３０Ｄ２はいずれも、同一の光源基板１２Ｂ上に配置されている。光源基板１２Ｂは、光源１３０Ｄ１，１３０Ｄ２を支持すると共に、回路部が配置された部分１２１を有している。本変形例においても、光源基板１２Ｂの部分１２１は、導光部１１の背面に対向して配置されている。また、光源１３０Ｄ１，１３０Ｄ２は、図２２に示したように、例えばＹ方向に沿って交互に配置されている。
【００６３】
このように、例えば端面発光型の光源１３０Ｄ１，１３０Ｄ２を用いた場合には、光源基板１２Ｂは、屈曲していなくともよい。光源基板１２Ｂを折り曲げなくとも、導光部１１の背面側のスペースを有効利用して、装置全体の薄型化を図ることができる。よって、上記実施の形態と同等の効果を得ることができる。
【００６４】
＜変形例５＞
図２３は、変形例５に係るバックライトユニットの要部構成を表したものである。上記実施の形態では、上面発光型のＬＥＤからなる光源１３Ａ１，１３Ｂ１を例に挙げて説明したが、本変形例のように、端面発光型のＬＥＤを含む光源（光源１３０Ｄ１，１３０Ｄ２）が用いられてもよい。
【００６５】
光源１３０Ｄ１，１３０Ｄ２はそれぞれ、上記変形例４と同様、例えば互いに異なる高さ位置に発光領域（活性層）をもつ端面発光型（サイドビュータイプ）のＬＥＤである。このような光源１３０Ｄ１，１３０Ｄ２はいずれも、同一の光源基板１２Ｂ上に配置されている。光源基板１２Ｂは、光源１３０Ｄ１，１３０Ｄ２を支持すると共に、回路部が配置された部分１２１を有している。本変形例においても、光源基板１２Ｂの部分１２１は、導光部１１の背面に対向して配置されている。但し、本変形例では、光源１３０Ｄ１，１３０Ｄ２が、Ｘ方向において前後の位置に配置されている。導光板１１Ａ，１１Ｂの光入射部Ｓ１１，Ｓ２１は、光源１３０Ｄ１，１３０Ｄ２の位置に対応した位置に配置されている。
【００６６】
このように、例えば端面発光型の光源１３０Ｄ１，１３０Ｄ２を用いた場合には、光源基板１２Ｂは、屈曲していなくともよい。光源基板１２Ｂを折り曲げなくとも、導光部１１の背面側のスペースを有効利用して、装置全体の薄型化を図ることができる。よって、上記実施の形態と同等の効果を得ることができる。
【００６７】
＜変形例６＞
図２４は、変形例６に係るバックライトユニットの要部構成を表したものである。上記変形例３〜５では、端面発光型のＬＥＤからなる光源と、平板状の光源基板とが用いられる構成例を挙げたが、本変形例のように、上面発光型のＬＥＤを含む光源１３Ａ１，１３Ｂ１と、平板状の光源基板１２Ｂとを組み合わせて用いてもよい。
【００６８】
光源基板１２Ｂは、光源１３Ａ１，１３Ｂ１を支持すると共に、回路部が配置された部分１２１を有している。本変形例においても、光源基板１２Ｂの部分１２１は、導光部１１の背面に対向して配置されている。但し、本変形例では、導光板１１Ａ１，１１Ａ２の光入射部Ｓ１１，Ｓ２１に、斜面ｔ１１，ｔ２１が形成されている。これにより、光源１３Ａ１，１３Ｂ１からＺ方向正の向きに発せられた光が、斜面ｔ１１，ｔ２１によって反射され、導光板１１Ａ１，１１Ａ２のＸＹ平面方向へ導光される。尚、ここでは、光入射部Ｓ１１，Ｓ２１に斜面が形成された例を挙げたが、曲面が形成されていても構わない。
【００６９】
本変形例のように、導光板１１Ａ１，１１Ａ２の光入射部Ｓ１１，Ｓ２１の形状を工夫することで、例えば上面発光型の光源１３Ａ１，１３Ｂ１と、屈曲形状を持たない光源基板１２Ｂとを組み合わせて用いることもできる。このような場合にも、導光部１１の背面側のスペースを有効利用して、装置全体の薄型化を図ることができる。よって、上記実施の形態と同等の効果を得ることができる。
【００７０】
＜変形例７＞
図２５は、変形例７に係るバックライトユニットの要部構成を表したものである。上記実施の形態では、上面発光型のＬＥＤからなる光源を、上記変形例３〜５では、端面発光型のＬＥＤからなる光源を、それぞれ用いた場合について説明したが、本変形例のように、これらの上面発光型のＬＥＤと端面発光型のＬＥＤとを組み合わせて用いても構わない。
【００７１】
例えば、斜面ｔ２１を有する導光板１１Ａ２の光入射部に対向して上面発光型の光源１３Ｂ１を配置し、導光板１１Ａの光入射部に対向して端面発光型の光源１３０Ｄ２を配置してもよい。このような場合、例えば平板状の光源基板１２Ｂ上に、光源１３Ｂ１，１３０Ｄ２を配置することができる。
【００７２】
＜変形例８＞
図２６は、変形例８に係るバックライトユニットの要部構成を表したものである。上記実施の形態では、導光板１１Ａ，１１Ｂの光入射部の周囲を覆うように遮光部材１８を設けたが、この遮光部材１８に代えて、あるいは遮光部材１８に加えて、導光板１１Ａ，１１Ｂ間に、遮光機能と反射機能とをもつミラーシート１８Ｂを配置してもよい。
【００７３】
ミラーシート１８Ｂは、例えば鏡面調シート、金属薄膜などから構成されている。このミラーシート１８Ｂは、光源１３Ａ１，１３Ｂ１間に介在すると共に、導光板１１Ａ，１１Ｂの間に配置されている。このように、ミラーシート１８Ｂを用いることで、導光板１１Ａ，１１Ｂ間の光入射部付近を遮光しつつ反射させることができる。
【００７４】
＜変形例９＞
図２７は、変形例９に係るバックライトユニットの要部構成を表したものである。上記実施の形態では、導光板１１Ａ，１１Ｂの光入射部の周囲を覆うように遮光部材１８を設けたが、この遮光部材１８に代えて、あるいは遮光部材１８に加えて、導光板１１Ａ，１１Ｂ間に、遮光機能と反射機能とをもつ複層シート１８Ｃを配置してもよい。
【００７５】
複層シート１８Ｃは、光源１３Ａ１，１３Ｂ１間に介在すると共に、導光板１１Ａ，１１Ｂの間に配置されている。複層シート１８Ｃは、例えば、黒色層１８ｃ１を挟んで、一対の白色層１８ｃ２が設けられたものである。このような複層シート１８Ｃを用いることで、導光板１１Ａ，１１Ｂ間の光入射部付近を遮光しつつ反射させることができる。
【００７６】
＜変形例１０＞
図２８は、変形例１０に係るバックライトユニットの要部構成を表したものである。上記実施の形態では、導光板１１Ａ，１１Ｂの光入射部の周囲を覆うように遮光部材１８を設けたが、本変形例のように、光源基板１２の一部が遮光部材１８の一部を兼ねていてもよい。
【００７７】
具体的には、光源基板１２のうちの部分１２１が、導光板１１Ｂの裏面側の遮光機能を担うように構成されている。導光板１１Ａの光出射面側と、導光板１１Ａ，１１Ｂ間とには、上記実施の形態と同様、遮光部材１８を構成する庇部分１８ａが配置されている。このように、光源基板１２の一部が遮光部材１８の一部を兼ねるようにしてもよく、このように構成した場合、より薄型化に有利となる。
【００７８】
＜変形例１１＞
図２９は、変形例１１に係るバックライトユニットの要部構成を表したものである。上記実施の形態では、導光板１１Ａ，１１Ｂの光入射部の周囲を覆うように遮光部材１８を設けたが、本変形例のように、光源基板１２Ａの一部が遮光部材１８の一部を兼ねていてもよい。
【００７９】
具体的には、上記変形例２に係る光源基板１２Ａのうちの部分１２１が、導光板１１Ｂの裏面側の遮光機能を担うように構成されている。また、光源基板１２Ａのうちの部分１２３が、導光板１１Ａの光出射面側の遮光機能を担うように構成されている。導光板１１Ａ，１１Ｂ間には、上記実施の形態と同様、遮光部材１８を構成する庇部分１８ａが配置されている。このように、光源基板１２Ａの一部が遮光部材１８の一部を兼ねるようにしてもよく、このように構成した場合、より薄型化に有利となる。
【００８０】
＜変形例１２＞
図３０は、変形例１２に係るバックライトユニットの要部構成を表したものである。上記実施の形態では、光源基板がＬ字状に屈曲した形状である場合を説明したが、屈曲形状はこれに限定されず、様々な形状とすることができる。例えば、本変形例の光源基板１２Ｃのように、導光部１１の背面側の端部がＺ字状（Ｚ状）に折り曲げられていてもよい。
【００８１】
具体的には、光源基板１２Ｃの端部が導光部１１に近づくようにＺ字状に曲げられた屈曲部１２ｃ１を有している。このような屈曲部１２ｃ１に対し、外側から隣接して放熱部材１６が熱的に接続されている。屈曲部１２ｃ１によって生じたスペースに放熱部材１６が配置されている。このように、光源基板の形状は、様々な屈曲形状とすることができる。また、折り曲げ箇所も１〜３箇所に限らず、４箇所以上であってもよい。また、折り曲げによって形成される角部分が丸みを帯びていても構わない。光源基板は、外装の形状や、他の部品のレイアウトに応じて、様々な形状を取り得る。
【００８２】
＜変形例１３＞
図３１Ａは、変形例１３に係る導光板（上側の導光板１１Ｃ）の反射パターンを模式的に表したものである。図３１Ｂは、変形例１３に係る導光板（下側の導光板１１Ｄ）の反射パターンを模式的に表したものである。上記実施の形態等では、導光板１１Ａ，１１Ｂの矩形状の短辺に対応する端面を光入射部Ｓ１１，Ｓ２１とした構成について説明したが、光源の配置箇所はこれに限定されない。例えば、導光板の矩形状の長辺に対応する端面に対向して光源が配置されていてもよいし、矩形状の４辺に対応する端面に光源が配置されていても構わない。ここでは、一例として、２つの長辺に対応する端面に対向して光源が配置された構成について説明する。
【００８３】
本変形例では、上記実施の形態と同様、導光部１１が２つの導光板１１Ｃ，１１Ｄから構成され、導光板１１Ｄの上に導光板１１Ｃが積層して配置されている。導光板１１Ｃ，１１Ｄはそれぞれ、光入射部（Ｓ１１，Ｓ２１）と光出射面とを有している。これらの導光板１１Ｃ，１１Ｄには、互いに異なる選択的な領域に光取り出し用のパターンが形成されている。
【００８４】
但し、本変形例では、これらの導光板１１Ｃ，１１Ｄの矩形状の２つの長辺に相当する端面が光入射部Ｓ１１，Ｓ２１となっている。
【００８５】
一例としては、図３１Ａに示したように、導光板１１Ｃの反射面では、ＸＹ平面内において４つの領域Ｄｃ１〜Ｄｃ４に分割されており、これらのうちの２つの領域Ｄｃ１，Ｄｃ３には、他の領域Ｄｃ２，Ｄｃ４に比べ、より多くの光を取り出し可能なパターンが形成されている。例えば、領域Ｄｃ１，Ｄｃ３では、領域Ｄｃ２，Ｄｃ４よりも、パターンの密度（ドットの密度）が高くなっている。一方、図３１Ｂに示したように、導光板１１Ｄの反射面では、ＸＹ平面内において４つの領域Ｄｄ１〜Ｄｄ４に分割されており、これらのうちの２つの領域Ｄｄ２，Ｄｄ４には、他の領域Ｄｄ１，Ｄｄ３に比べ、より多くの光を取り出し可能なパターンが形成されている。例えば、領域Ｄｄ２，Ｄｄ４では、領域Ｄｄ１，Ｄｄ３よりも、パターンの密度が高くなっている。このように、導光板１１Ｃ，１１Ｄのそれぞれがいくつかの領域に分割され、分割された領域のうち上下の導光板間で異なる選択的な領域に、光取り出し用のパターンが密に形成されている。
【００８６】
導光板１１Ｃの領域Ｄｃ１，Ｄｃ３および導光板１１Ｄの領域Ｄｄ２，Ｄｄ４では、上記光取り出し用のパターンとして、例えば凹部または凸部からなるドットが、光源から離れるに従って徐々に密度が高くなるように配置されていることが望ましい。
【００８７】
これらの導光板１１Ｃ，１１Ｄの端面（光入射部Ｓ１１，Ｓ２１）には、複数の光源が対向配置されている。ここでは、導光板１１Ｃ，１１ＤのＸ方向に沿って延在する端面が光入射部Ｓ１１，Ｓ２１となっている。また、説明上、各端面に８つの光源が対向配置されている場合を例示し、導光板１１ＣのＹ方向正側（図の上側）の端面に配置された光源を光源１３Ｃ１（１３Ｃ１１〜１３Ｃ１８）、Ｙ方向負側（図の下側）の端面に配置された光源を光源１３Ｃ２（１３Ｃ２１〜１３Ｃ２８）としている。また、導光板１１ＤのＹ方向正側の端面に配置された光源を光源１３Ｄ１（１３Ｄ１１〜１３Ｄ１８）、Ｙ方向負側の端面に配置された光源を光源１３Ｄ２（１３Ｄ２１〜１３Ｄ２８）としている。
【００８８】
導光板１１Ｃでは、例えば領域Ｄｃ１の明暗（白〜黒表示）は、光源１３Ｃ１１〜１３Ｃ１８を駆動することによって設定され、領域Ｄａ３の明暗（白〜黒表示）は、光源１３Ｃ２１〜１３Ｃ２８を駆動することによって設定される。また、光源１３Ｃ１１〜１３Ｃ１８，１３Ｃ２１〜１３Ｃ２８のそれぞれが別個に駆動されることで、領域Ｄｃ１，Ｄｃ３において発光エリアが更に分割される。導光板１１Ｄでは、例えば領域Ｄｄ２の明暗（白〜黒表示）は、光源１３Ｄ１１〜１３Ｄ１８を駆動することによって設定され、領域Ｄｄ４の明暗（白〜黒表示）は、光源１３Ｄ２１〜１３Ｄ２８を駆動することによって設定される。また、光源１３Ｄ１１〜１３Ｄ１８，１３Ｄ２１〜１３Ｄ２８のそれぞれが別個に駆動されることで、領域Ｄｂ２，Ｄｂ４内において発光エリアが更に分割される。
【００８９】
図３２Ａおよび図３２Ｂは、導光板１１Ｃ，１１Ｄの光源点灯の一例を模式的に表したものである。図３２Ａに示したように、導光板１１Ｃでは、光源１３Ｃ１（１３Ｃ１１〜１３Ｃ１８）の点灯により、領域Ｄｃ１を照らすことができる（発光エリアｃ１１〜ｃ１４）。光源１３Ｃ２（１３Ｃ２１〜１３Ｃ２８）の点灯により、領域Ｄｃ３を照らすことができる（発光エリアｃ２１〜ｃ２４）。一方で、導光板１１Ｄでは、図３２Ｂに示したように、光源１３Ｄ１（１３Ｄ１１〜１３Ｄ１８）の点灯により、領域Ｄｄ２を照らすことができる（発光エリアｄ１１〜ｄ１４）。光源１３Ｄ２（１３Ｄ２１〜１３Ｄ２８）の点灯により、領域Ｄｄ４を照らすことができる（発光エリアｄ２１〜ｄ２４）。
【００９０】
これらの導光板１１Ｃ，１１Ｄの各発光エリアｃ１１〜ｃ１４，ｃ２１〜ｃ２４，ｄ１１〜ｄ１４，ｄ２１〜ｄ２４の各発光強度を個々に設定することにより、上記実施の形態と同様、導光部１１全体として、発光エリアを細分化（例えば図９に示したような１６分割）して部分駆動を行うことができる。
【００９１】
以上、実施の形態および変形例を挙げて本開示を説明したが、本開示は上記実施の形態等に限定されるものではなく、種々の変形が可能である。例えば、上記実施の形態等において説明した各部材の材料などは限定されるものではなく、他の材料としてもよい。
【００９２】
また、上記実施の形態等において説明した導光板の個数および形状等は上述のものに限定されない。加えて、光源の個数、配置箇所、ピッチなども上述のものに限定されるものではない。
【００９３】
更に、本開示の照明装置は、上述したような表示装置のバックライトユニットに限らず、例えば図３３〜図３５に示したような照明装置にも適用可能である。図３３および図３４に示した照明装置は、卓上用もしくは床置き用の照明装置であり、上記実施の形態のバックライトユニット１０と同様の構成を有する照明部８４３を備えている。照明部８４３は、例えば、基台８４１に設けられた支柱８４２に取り付けられている。照明部８４３では、導光部１１（導光板１１Ａ，１１Ｂ）を湾曲形状とすることにより、図３３に示した筒状、または図３４に示した曲面状などの外形とすることができる。図３５に示した照明装置は、上記実施の形態のバックライトユニット１０と同様の構成を有する照明部８４４を備えている。照明部８４４は、建造物の天井８５０Ａに１または複数（ここでは複数）、所定の間隔で配置されている。なお、照明部８４４は、用途に応じて、天井８５０Ａに限らず、壁８５０Ｂまたは床（図示せず）などに設置されてもよい。また、屋内に限らず、屋外で使用されるものであっても構わない。
【００９４】
なお、本明細書中に記載された効果はあくまで例示であってその記載に限定されるものではなく、他の効果があってもよい。また、本開示は以下のような構成を取り得るものである。
（１）
各々が光入射部と光出射面とを有すると共に、厚み方向に沿って積層された複数の導光板を含む導光部と、
前記導光部の各導光板の前記光入射部へ向けて光を出射する複数の光源と、
前記複数の光源を支持すると共に、各光源を駆動するための回路部が配置された基板と
を備え、
前記基板のうちの前記回路部が配置された第１部分が、前記導光部の背面に対向して配置されている
照明装置。
（２）
前記基板は、前記第１部分と、前記光入射部に対向して配置された第２部分とを含むと共に、前記第１部分と前記第２部分との間において折り曲げられた屈曲形状を有し、
前記基板の前記第２部分に、複数の光源が配置されている
上記（１）に記載の照明装置。
（３）
前記複数の導光板の同士の間において、前記導光板の前記光入射部側の一部を覆うと共に、遮光機能および反射機能のうちの少なくとも一方を有する構造体が設けられている
上記（１）または（２）に記載の照明装置。
（４）
前記構造体は、前記導光板と前記光源との間隙を確保すると共に、前記導光板の前記光源側へのシフトを係止する部分を有する
上記（３）に記載の照明装置。
（５）
前記構造体は、灰色の樹脂材料から構成されている
上記（３）または（４）に記載の照明装置。
（６）
前記基板は、前記第１部分と、前記光入射部に対向して配置された第２部分と、前記導光部の前面に対向して配置された第３部分とを含むと共に、前記第１部分と前記第２部分との間および前記第２部分と前記第３部分との間のそれぞれにおいて折り曲げられた屈曲形状を有し、
前記基板の前記第２部分に前記複数の光源が配置されている
上記（１）に記載の照明装置。
（７）
前記導光部の背面側に、前記基板と熱的に接続して配置された放熱部材を備えた
上記（１）ないし（６）のうちのいずれか１つに記載の照明装置。
（８）
前記放熱部材と前記基板との各一面側に、前記放熱部材と前記基板とに跨って配置されると共に、熱拡散性層と断熱性層とを含む複合シートが配置されている
上記（７）に記載の照明装置。
（９）
前記放熱部材は、前記基板の前記光源が実装されている面に熱的に接続されている
上記（７）または（８）に記載の照明装置。
（１０）
前記基板の端部は、Ｚ状に折り曲げられており、
前記放熱部材は、前記基板のＺ状の折り曲げによって生じた空間に配置されると共に、前記基板に熱的に接続されている
上記（７）ないし（９）のうちのいずれか１つに記載の照明装置。
（１１）
前記光源は、上面発光型の発光ダイオードである
上記（１）ないし（１０）のうちのいずれか１つに記載の照明装置。
（１２）
前記基板は、平板形状を有し、
前記基板の前記第１部分の延長面上に、前記複数の光源が配置されている
上記（１）に記載の照明装置。
（１３）
前記複数の光源は、端面発光型の発光ダイオードから構成され、
前記発光ダイオードは、各々が異なる高さ位置に形成された複数の発光領域を有する
上記（１２）に記載の照明装置。
（１４）
前記複数の光源はそれぞれ、端面発光型の発光ダイオードであり、前記導光板毎に発光領域の高さが異なっている
上記（１２）に記載の照明装置。
（１５）
前記光源は、上面発光型の発光ダイオードであり、
前記導光板の前記光入射部は、斜面または曲面を有する
上記（１２）に記載の照明装置。
（１６）
前記複数の導光板の同士の間において、前記導光板の前記光入射部側の一部に、遮光機能と反射機能との両方をもつ機能性シートが配置されている
上記（１）ないし（１５）のうちのいずれか１つに記載の照明装置。
（１７）
前記機能性シートは、鏡面調シート、金属薄膜、または、一対の反射層間に遮光層を挟んでなる積層膜である
上記（１６）に記載の照明装置。
（１８）
前記複数の導光板はそれぞれ、前記光出射面に平行な面内における複数の選択的な領域に他の領域よりも高い密度で配置された光取り出し用のパターンを有する
上記（１）ないし（１７）のうちのいずれか１つに記載の照明装置。
（１９）
各々が光入射部と光出射面とを有すると共に、厚み方向に沿って積層された複数の導光板を含む導光部と、
前記導光部の各導光板の前記光入射部へ向けて光を出射する複数の光源と、
前記複数の光源を支持すると共に、各光源を駆動するための回路部が配置された基板と
を備え、
前記基板のうちの前記回路部が配置された第１部分が、前記導光部の背面に対向して配置されている
照明装置を備えた表示装置。
【００９５】
本出願は、日本国特許庁において２０１５年４月６日に出願された日本特許出願番号第２０１５−７７３２７号および２０１５年１１月２０日に出願された日本特許出願番号第２０１５−２２７５７３号を基礎として優先権を主張するものであり、この出願のすべての内容を参照によって本出願に援用する。
【００９６】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2016163176.tif 000003
【図２】
2016163176.tif 000004
【図３Ａ】
2016163176.tif 000005
【図３Ｂ】
2016163176.tif 000006
【図４Ａ】
2016163176.tif 000007
【図４Ｂ】
2016163176.tif 000008
【図５Ａ】
2016163176.tif 000009
【図５Ｂ】
2016163176.tif 000010
【図６】
2016163176.tif 000011
【図７】
2016163176.tif 000012
【図８Ａ】
2016163176.tif 000013
【図８Ｂ】
2016163176.tif 000014
【図９】
2016163176.tif 000015
【図１０】
2016163176.tif 000016
【図１１】
2016163176.tif 000017
【図１２】
2016163176.tif 000018
【図１３】
2016163176.tif 000019
【図１４】
2016163176.tif 000020
【図１５Ａ】
2016163176.tif 000021
【図１５Ｂ】
2016163176.tif 000022
【図１６】
2016163176.tif 000023
【図１７Ａ】
2016163176.tif 000024
【図１７Ｂ】
2016163176.tif 000025
【図１８】
2016163176.tif 000026
【図１９】
2016163176.tif 000027
【図２０】
2016163176.tif 000028
【図２１Ａ】
2016163176.tif 000029
【図２１Ｂ】
2016163176.tif 000030
【図２２】
2016163176.tif 000031
【図２３】
2016163176.tif 000032
【図２４】
2016163176.tif 000033
【図２５】
2016163176.tif 000034
【図２６】
2016163176.tif 000035
【図２７】
2016163176.tif 000036
【図２８】
2016163176.tif 000037
【図２９】
2016163176.tif 000038
【図３０】
2016163176.tif 000039
【図３１Ａ】
2016163176.tif 000040
【図３１Ｂ】
2016163176.tif 000041
【図３２Ａ】
2016163176.tif 000042
【図３２Ｂ】
2016163176.tif 000043
【図３３】
2016163176.tif 000044
【図３４】
2016163176.tif 000045
【図３５】
2016163176.tif 000046
【国際調査報告】
2016163176.tif 000047
2016163176.tif 000048
2016163176.tif 000049
2016163176.tif 000050